【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
内部回路に接続された内部電源電圧供給ノードと、
外部電源電圧に基づいて内部電源電圧を生成し、前記内部電源電圧供給ノードに前記内部電源電圧を供給する電圧変換手段と、
前記内部電源電圧供給ノードへ流すノード電流を供給し、前記外部電源電圧が判定基準となる基準電圧より大きい場合、前記基準電圧より小さい場合に比べ前記ノード電流を減少させる電流供給手段とを備えた内部電源電圧発生回路。
【請求項２】
前記電流供給手段は、
前記外部電源電圧が与えられる外部電源電圧ノードと、
前記外部電源電圧ノードと前記内部電源電圧供給ノードとの間に接続されたトランジスタと、
前記内部回路で消費される電流の増加となるトリガー信号の発生に応じて前記トランジスタを制御し、前記トランジスタの導通時間を短くすることにより前記ノード電流を減少させるトランジスタ制御手段とを含む、請求項１に記載の内部電源電圧発生回路。
【請求項３】
前記トランジスタ制御手段は、前記外部電源電圧を基準電圧と比較する電圧レベル判定手段を含み、
前記電圧レベル判定手段の出力に基づいて前記導通期間を制御する、請求項２に記載の内部電源電圧発生回路。
【請求項４】
前記電流供給手段は、前記内部回路で消費される電流の増加となるトリガー信号の発生に応じて活性化されるトランジスタを含み、
活性化される前記トランジスタのサイズを減少させることにより前記ノード電流を減少させる、請求項１に記載の内部電源電圧発生回路。
【請求項５】
内部回路に接続された内部電源電圧供給ノードと、
外部電源電圧に基づいて内部電源電圧を生成し、前記内部電源電圧供給ノードに供給する電圧変換手段と、
前記内部回路で消費される電流の増加となるトリガー信号と前記内部電源電圧の大きさが所定の基準値以下を示す判定信号とを受けた場合に、前記内部電源電圧供給ノードへ流すノード電流を供給する電流供給手段とを備えた内部電源電圧発生回路。
【請求項６】
前記電流供給手段は、前記内部電源電圧と前記所定の基準値となる基準電圧とを受け、前記判定信号を出力する比較手段を含む、請求項５に記載の内部電源電圧発生回路。
【請求項７】
内部回路に接続された内部電源電圧供給ノードと、
外部電源電圧が与えられる外部電源電圧ノードと、
前記外部電源電圧ノードと前記内部電源電圧供給ノードとの間に接続されたＰチャネルＭＯＳトランジスタと、
反転入力端子に参照電圧が供給され、非反転入力端子が前記内部電源電圧供給ノードに接続された比較手段と、
前記比較手段と前記ＰチャネルＭＯＳトランジスタのゲートとの間に接続され、前記内部回路の通常動作時には前記比較手段の出力ノードと前記ＰチャネルＭＯＳトランジスタのゲートとを接続するとともに、前記内部回路で消費される電流の増加となるトリガー信号が発生したときは前記比較手段の出力ノードと前記ＰチャネルＭＯＳトランジスタの接続を切るとともに前記ＰチャネルＭＯＳトランジスタのゲートに接地電圧を供給する切換手段とを備えた内部電源電圧発生回路。
【手続補正２】
【補正対象書類名】明細書
【補正対象項目名】００１０
【補正方法】変更
【補正の内容】
【００１０】
【課題を解決するための手段】
この発明に係る内部電源電圧発生回路は、内部回路に接続された内部電源電圧供給ノードと、外部電源電圧に基づいて内部電源電圧を生成し、内部電源電圧供給ノードに内部電源電圧を供給する電圧変換手段と、内部電源電圧供給ノードへ流すノード電流を供給し、外部電源電圧が判定基準となる基準電圧より大きい場合、基準電圧より小さい場合に比べノード電流を減少させる電流供給手段とを備えるものである。
【手続補正３】
【補正対象書類名】明細書
【補正対象項目名】００１１
【補正方法】変更
【補正の内容】
【００１１】
好ましくは、電流供給手段は、外部電源電圧が与えられる外部電源電圧ノードと、外部電源電圧ノードと内部電源電圧供給ノードとの間に接続されたトランジスタと、内部回路で消費される電流の増加となるトリガー信号の発生に応じてトランジスタを制御し、トランジスタの導通時間を短くすることによりノード電流を減少させるトランジスタ制御手段とを含む。
【手続補正４】
【補正対象書類名】明細書
【補正対象項目名】００１２
【補正方法】変更
【補正の内容】
【００１２】
また好ましくは、トランジスタ制御手段は、外部電源電圧を基準電圧と比較する電圧レベル判定手段を含み、電圧レベル判定手段の出力に基づいて導通期間を制御する。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また好ましくは、電流供給手段は、内部回路で消費される電流の増加となるトリガー信号の発生に応じて活性化されるトランジスタを含み、活性化されるトランジスタのサイズを減少させることによりノード電流を減少させる。
【手続補正７】
【補正対象書類名】明細書
【補正対象項目名】００１５
【補正方法】変更
【補正の内容】
【００１５】
また、この発明に係る他の内部電源電圧発生回路は、内部回路に接続された内部電源電圧供給ノードと、外部電源電圧に基づいて内部電源電圧を生成し、内部電源電圧供給ノードに供給する電圧変換手段と、内部回路で消費される電流の増加となるトリガー信号と内部電源電圧の大きさが所定の基準値以下を示す判定信号とを受けた場合に、内部電源電圧供給ノードへ流すノード電流を供給する電流供給手段とを備えるものである。
【手続補正８】
【補正対象書類名】明細書
【補正対象項目名】００１６
【補正方法】変更
【補正の内容】
【００１６】
好ましくは、電流供給手段は、内部電源電圧と所定の基準値となる基準電圧とを受け、判定信号を出力する比較手段を含む。
【手続補正９】
【補正対象書類名】明細書
【補正対象項目名】００１７
【補正方法】変更
【補正の内容】
【００１７】
また、この発明に係るさらに他の内部電源電圧発生回路は、内部回路に接続された内部電源電圧供給ノードと、外部電源電圧が与えられる外部電源電圧ノードと、外部電源電圧ノードと内部電源電圧供給ノードとの間に接続されたＰチャネルＭＯＳトランジスタと、反転入力端子に参照電圧が供給され、非反転入力端子が内部電源電圧供給ノードに接続された比較手段と、比較手段とＰチャネルＭＯＳトランジスタのゲートとの間に接続され、内部回路の通常動作時には比較手段の出力ノードとＰチャネルＭＯＳトランジスタのゲートとを接続するとともに、内部回路で消費される電流の増加となるトリガー信号が発生したときは比較手段の出力ノードとＰチャネルＭＯＳトランジスタの接続を切るとともにＰチャネルＭＯＳトランジスタのゲートに接地電圧を供給する切換手段とを備えるものである。
【手続補正１０】
【補正対象書類名】明細書
【補正対象項目名】００４０
【補正方法】変更
【補正の内容】
【００４０】
【発明の効果】
この発明に係る内部電源電圧発生回路によれば、外部電源電圧の大きさに応じて内部電源電圧の供給ノードに電流を供給することができる。
【手続補正１１】
【補正対象書類名】明細書
【補正対象項目名】００４１
【補正方法】変更
【補正の内容】
【００４１】
また、内部電源電圧供給ノードに電流を供給する時間を外部電源電圧の大きさに応じて調節することによって、安定した電流の供給を実現することができる。
【手続補正１２】
【補正対象書類名】明細書
【補正対象項目名】００４２
【補正方法】変更
【補正の内容】
【００４２】
また、電圧レベル判定手段における比較結果に応じた大きさの電流を内部電源電圧供給ノードに供給することができる。
【手続補正１３】
【補正対象書類名】明細書
【補正対象項目名】００４３
【補正方法】変更
【補正の内容】
【００４３】
また、この発明に係る他の内部電源電圧発生回路によれば、内部電源電圧を所定の基準値より上昇しないよう安定して発生させることができる。
【手続補正１４】
【補正対象書類名】明細書
【補正対象項目名】００４４
【補正方法】変更
【補正の内容】
【００４４】
また、この発明に係るさらに他の内部電源電圧発生回路によれば、内部電源降圧動作と大電流消費の際の電流供給動作とにおいて、ＰチャネルＭＯＳトランジスタを共有しレイアウト面積の削減を図ることができる。